(57)【要約】【課題】係合部を破損させることなく短時間でプレート状ハウジングを分離することが可能な合体解除治具を提供する。【解決手段】合体解除治具１はコネクタ２のプレート状ハウジング３ａ，３ｂ同士を分離する。一方のプレート状ハウジング３ａには相手方のコネクタに近づく方向を案内する案内リブ８が設けられている。コネクタ２はプレート状ハウジング３ａ，３ｂ同士を固定する係合部６を複数備えている。合体解除治具１はコネクタ２に接離する治具本体１２と治具本体１２を案内可能なガイド部１３と係合部６各々に対応して設けられた解除部１４を備えている。解除部１４は治具本体１２がコネクタ２に近づくのにしたがって対応する係合部６のプレート状ハウジング３ａ，３ｂ同士の固定を解除する。【選択図】図４
2008084672.tif 000002
【特許請求の範囲】
【請求項１】
端子金具を保持するプレート状ハウジングが複数積層されて構成されたコネクタの前記プレート状ハウジング同士を分離するための合体解除治具であって、
前記コネクタは、複数のプレート状ハウジングのうちの少なくとも一つに設けられて相手方のコネクタと嵌合する際に該相手方のコネクタに近づく方向を案内する案内部と、前記プレート状ハウジング同士を固定する係合部と、を備えており、
前記コネクタに接離する治具本体と、
前記治具本体に設けられ、かつ前記案内部と接触して前記治具本体を案内可能なガイド部と、
前記係合部各々に対応して複数設けられ、かつ前記治具本体が前記コネクタに近づくのにしたがって、対応する前記係合部の前記プレート状ハウジング同士の固定を解除する解除部と、を備えたことを特徴とする合体解除治具。
【請求項２】
前記ガイド部は、直線状に延在し、かつ、互いに間隔をあけて平行に複数設けられていることを特徴とする請求項１記載の合体解除治具。
【請求項３】
前記係合部は、互いに積層される二つのプレート状絶縁体のうちの一方から凸の凸部と、一端部が他方に連なりかつ該他方から前記一方に向かって延在して他端部が前記凸部と係合する係合片とを備え、
前記解除部は、前記治具本体から直線状に延在した棒状部と、前記棒状部の前記コネクタ寄りの端に連なりかつ前記棒状部から離れるのにしたがって徐々に前記一方のプレート状ハウジングに近づくように先細に形成された先細部と、を備えて、前記治具本体が前記コネクタに近づくのにしたがって前記一方のプレート状ハウジングと前記係合片の前記他端部との間に前記先細部が侵入することを特徴とする請求項１又は請求項２記載の合体解除治具。
【発明の詳細な説明】
【技術分野】
【０００１】
本発明は、コネクタの互いに積層された複数のプレート状ハウジング同士を分離するための合体解除治具に関する。
【背景技術】
【０００２】
移動体としての自動車には、多種多様な電子機器が搭載される。前記自動車は、前記電子機器に電力や制御信号などを伝えるために、ワイヤハーネスを配索している。ワイヤハーネスは、複数の電線と、コネクタと、を備えている。電線は、導電性の芯線と、該芯線を被覆する絶縁性の被覆部と、を備えた所謂被覆電線である。
【０００３】
前述したコネクタは、端子金具と、複数のプレート状ハウジングとを備えている。端子金具は、導電性の板金などからなり、電線接続部と電気接触部とを備えている。電線接続部には、前述の電線が電気的及び機械的に接続される。電気接触部は、コネクタに嵌合する相手方のコネクタの端子金具の電気接触部と電気的に接続する。
【０００４】
プレート状ハウジングは、絶縁性の合成樹脂からなり平板状に形成されている。プレート状ハウジングは、それぞれ、端子金具が取り付けられる。プレート状ハウジングは、複数が積層される。このため、プレート状ハウジングには、互いに積層されたもの同士を固定するための係合部が設けられている。係合部は、互いに積層される二つのプレート状ハウジングのうちの一方のプレート状ハウジングに設けられた係合凹部と、一端部が他方のプレート状ハウジングに連なりかつ該他方のプレート状ハウジングから一方のプレート状ハウジングに向かって延在しているとともに他端部が前記係合凹部と係合する係合凸部とを備えている。前述したコネクタは、端子金具を取り付けられたプレート状ハウジングが複数積層されて組み立てられる。
【０００５】
前述したコネクタのプレート状ハウジング同士を分離するためには、従来から種々の治具（例えば、特許文献１参照）が用いられてきた。特許文献１に示された治具は、先細の棒状に形成されたこじり操作部を有しており、各係合部の係合凸部と前述した一方のプレート状ハウジングとの間に先端部が挿入されることで、係合凹部と係合凸部との係合を解除する。
【特許文献１】特開２００５−２５９９７号公報
【発明の開示】
【発明が解決しようとする課題】
【０００６】
前述した特許文献１に示された治具では、複数設けられた係合部の係合凹部と係合凸部との係合を一つずつ解除しなければならなかった。このため、作業にかかる所要時間が長時間化する傾向であった。また、前述した特許文献１に示された治具では、係合凸部をこじる際にガイドとなるものがないので、作業員によっては、係合凸部を必要以上にこじりすぎて、該係合凸部などを破損させてしまうことがあった。
【０００７】
したがって、本発明の目的は、係合部を破損させることなく短時間でプレート状ハウジングを分離することが可能な合体解除治具を提供することにある。
【課題を解決するための手段】
【０００８】
前述した課題を解決し目的を達成するために、請求項１に記載の本発明の合体解除治具は、端子金具を保持するプレート状ハウジングが複数積層されて構成されたコネクタの前記プレート状ハウジング同士を分離するための合体解除治具であって、前記コネクタは、複数のプレート状ハウジングのうちの少なくとも一つに設けられて相手方のコネクタと嵌合する際に該相手方のコネクタに近づく方向を案内する案内部と、前記プレート状ハウジング同士を固定する係合部と、を備えており、前記コネクタに接離する治具本体と、前記治具本体に設けられ、かつ前記案内部と接触して前記治具本体を案内可能なガイド部と、前記係合部各々に対応して複数設けられ、かつ前記治具本体が前記コネクタに近づくのにしたがって、対応する前記係合部の前記プレート状ハウジング同士の固定を解除する解除部と、を備えたことを特徴としている。
【０００９】
請求項２に記載の本発明の合体解除治具は、請求項１に記載の合体解除治具において、前記ガイド部は、直線状に延在し、かつ、互いに間隔をあけて平行に複数設けられていることを特徴としている。
【００１０】
請求項３に記載の本発明の合体解除治具は、請求項１又は請求項２に記載の合体解除治具において、前記係合部は、互いに積層される二つのプレート状絶縁体のうちの一方から凸の凸部と、一端部が他方に連なりかつ該他方から前記一方に向かって延在して他端部が前記凸部と係合する係合片とを備え、前記解除部は、前記治具本体から直線状に延在した棒状部と、前記棒状部の前記コネクタ寄りの端に連なりかつ前記棒状部から離れるのにしたがって徐々に前記一方のプレート状ハウジングに近づくように先細に形成された先細部と、を備えて、前記治具本体が前記コネクタに近づくのにしたがって前記一方のプレート状ハウジングと前記係合片の前記他端部との間に前記先細部が侵入することを特徴としている。
【００１１】
請求項１に記載した本発明の合体解除治具によれば、解除部が係合部に対応して複数設けられているので、一度に、複数の係合部の解除を行うことができる。また、プレート状ハウジングに設けられた案内部に接触して、治具本体を案内するガイド部を備えているので、治具本体をコネクタに近づけて、係合部の解除を行う際の解除部の軌跡が常に一定となる。
【００１２】
請求項２に記載した本発明の合体解除治具によれば、ガイド部が複数設けられているので、係合部の解除中に、治具本体即ち解除部のコネクタに対する姿勢が変化することを防止できる。
【００１３】
請求項３に記載した本発明の合体解除治具によれば、解除部が先細部を備えかつ該先細部が係合片の他端部と凸部が設けられた一方のプレート状ハウジングとの間に侵入するので、係合部の解除を確実に行うことができる。
【発明の効果】
【００１４】
以上説明したように、請求項１に記載の本発明は、一度に複数の係合部の解除を行うことができるので、プレート状ハウジング同士の分離にかかる所要時間を短縮することができる。
【００１５】
また、治具本体をコネクタに近づけて、係合部の解除を行う際の解除部の軌跡が常に一定となるので、作業員によって、解除部の軌跡がばらつくことを防止でき、解除部が過度に係合部をこじることを防止できる。したがって、係合部の破損を防止できる。
【００１６】
このように、ガイド部と複数の解除部とを備えているので、治具本体をコネクタに近づけるだけで、複数の係合部の解除を一度に行うことができる。よって、係合部を破損させることなく短時間でプレート状ハウジングを分離することができる。
【００１７】
請求項２に記載の本発明は、係合部の解除中に、治具本体即ち解除部のコネクタに対する姿勢が変化することを防止できるので、解除部が過度に係合部をこじることを確実に防止できる。したがって、係合部の破損を確実に防止できる。
【００１８】
請求項３に記載の本発明は、解除部の先細部が係合片の他端部と凸部が設けられた一方のプレート状ハウジングとの間に侵入するので、係合部の解除を確実に行うことができる。
【発明を実施するための最良の形態】
【００１９】
本発明の一実施形態にかかる端子金具の合体解除治具（以下、単に治具と記す）１を、図１ないし図１１を参照して説明する。図１などに示す治具１は、自動車などに配索されるワイヤハーネスを構成するコネクタ２（図２及び図３に示す）のプレート状ハウジング３同士を分離する際に用いられる。
【００２０】
ワイヤハーネスは、複数の電線４（図２に示す）と、コネクタ２（図２及び図３に示す）とを備えている。電線４は、導電性の芯線と該芯線を被覆する絶縁性の被覆部とを備えた所謂被覆電線である。ワイヤハーネスは、前述したコネクタ２が図２中に二点鎖線で示す相手方のコネクタ５と嵌合するなどして、自動車に搭載される各種の電子機器に所望の信号や電力を供給する。
【００２１】
コネクタ２は、図２及び図３に示すように、図示しない複数の端子金具と、複数のプレート状ハウジング３と、複数の係合部６と、を備えている。
【００２２】
端子金具は、導電性の金属などで構成された板金で構成され、電線接続部と電気接触部とを備えている。電線接続部には、電線４が電気的及び機械的に接続される。電気接触部は、電線接続部に連なっている。電気接触部は、コネクタ２に嵌合する相手方のコネクタ５の端子金具と電気的に接続する。
【００２３】
プレート状ハウジング３は、図示例では、二つ設けられている。プレート状ハウジング３は、それぞれ、絶縁性の合成樹脂で構成され、平板状に形成されている。プレート状ハウジング３には、端子金具を収容して、該端子金具を取り付ける（保持する）端子収容溝が複数設けられている。端子収容溝は、それぞれが直線状に形成されており、互いに平行に配置されている。
【００２４】
前述した二つのプレート状ハウジング３は、互いに平行に積層されて、コネクタ２を構成する。二つのプレート状ハウジング３のうちの図２及び図３中上方に位置する一方のプレート状ハウジング３（以下、符号３ａで示す）には、ロックアーム７と、案内部としての案内リブ８とが設けられている。このように、コネクタ２を構成する複数の二つのプレート状ハウジング３のうちの一つのプレート状ハウジング３ａには、案内部としての案内リブ８が設けられている。
【００２５】
ロックアーム７は、相手方のコネクタ５のコネクタハウジングに設けられたロック受け部などに係合して、コネクタ２，５同士を嵌合させる。案内リブ８は、一方のプレート状ハウジング３ａの外表面から凸に形成されている。案内リブ８は、一方のプレート状ハウジング３ａの端子収容溝の長手方向に対して直交する方向の両端（幅方向の両端）に設けられている。案内リブ８は、端子収容溝の長手方向に沿って直線状に延在している。
【００２６】
こうして、案内リブ８は、コネクタ２，５同士の嵌合方向（矢印Ｋで示し、コネクタ２，５同士が嵌合する際に互いに近づく方向）に沿って、直線状に延在している。案内リブ８は、相手方のコネクタ５のコネクタハウジングに設けられた案内溝内に侵入して、コネクタ２，５同士が正規の状態で嵌合するように、これらのコネクタ２，５同士が近づく方向を案内する。
【００２７】
係合部６は、コネクタ２の幅方向の両端にそれぞれ一つ設けられている。このため、図示例では、係合部６は、二つ設けられている。それぞれの係合部６は、図８及び図９に示すように、一方のプレート状ハウジング３ａに設けられた凸部９と、図２中下方に位置する他方のプレート状ハウジング３（以下、符号３ｂで示す）に設けられた係合片１０と、を備えている。
【００２８】
凸部９は、一方のプレート状ハウジング３ａの幅方向の両端に位置する外側面から凸に形成されている。係合片１０は、他方のプレート状ハウジング３ｂの幅方向の両端に位置する外側面に設けられている。係合片１０は、一端部１０ａが他方のプレート状ハウジング３ｂの一方のプレート状ハウジング３ａ寄りの縁に連なって、該一端部１０ａから一方のプレート状ハウジング３ａに向かって延在して、他端部１０ｂが自由端となっている。
【００２９】
係合片１０は、他方のプレート状ハウジング３ｂの幅方向に沿って他端部１０ｂが変位可能に、弾性変形自在となっている。係合片１０の他端部１０ｂと一端部１０ａとに亘って、貫通孔１１が設けられている。係合片１０は、貫通孔１１内に凸部９を位置付けて、該凸部９と係合する。係合片１０が凸部９と係合すると、凸部９が貫通孔１１の他端部１０ｂ寄りの端に位置付けられる。このように、係合片１０は、他端部１０ｂが凸部９と係合する。
【００３０】
また、係合片１０は、凸部９と係合すると、一方のプレート状ハウジング３ａに重なる。前述した係合部６は、係合片１０の他端部１０ｂが凸部９に係合することで、プレート状ハウジング３ａ，３ｂ同士を積層して、これらを互いに固定する。
【００３１】
治具１は、図１に示すように、治具本体１２と、複数のガイド部１３と、複数の解除部１４とを備えている。治具本体１２は、プレート状ハウジング３ａ，３ｂ同士を分離する際に、コネクタ２に接離する。治具本体１２は、作業部１５と、操作部１６とを備えている。作業部１５は、一対の平行部１７と、一つの連結部１８とを備えている。平行部１７は、それぞれが厚手の平板状に形成され、互いに間隔をあけて平行に配置されている。一対の平行部１７間の間隔は、プレート状ハウジング３ａ，３ｂの幅と略等しく該幅よりも若干小さい。連結部１８は、厚手の平板状に形成され、平行部１７の一端同士を連結している。作業部１５は、一対の平行部１７と連結部１８とを備えて、平面形状がコ字状に形成されている。
【００３２】
操作部１６は、太めの棒状に形成され、一端が連結部１８の中央部に連なっている。操作部１６は、連結部１８から平行部１７と平行でかつ該平行部１７と逆向きに直線状に延在している。
【００３３】
ガイド部１３は、治具本体１２の平行部１７の各々に一つ設けられている。即ち、ガイド部１３は、図示例では、二つ設けられている。ガイド部１３は、平行部１７の内面１７ａの外縁に連なり、かつ平行部１７から操作部１６と逆向きに延びている。ガイド部１３は、直線状に延在した棒状に形成されている。複数のガイド部１３は、互いに間隔をあけて平行に設けられている。ガイド部１３は、図７に示すように、平行部１７の内面１７ａから平行部１７同士が近づく方向に伸びた内伸部１９と、該内伸部１９の平行部１７から離れた側の端部から平行部１７と平行に延びた平行伸部２０とを、その全長に亘って備えている。
【００３４】
ガイド部１３は、図７に示すように、平行伸部２０が一対の案内リブ８間に位置しかつ案内リブ８の近傍に位置する。そして、ガイド部１３は、治具本体１２がコネクタ２に近づく際に、平行伸部２０が案内リブ８に接触することで、治具本体１２がコネクタ２に接離する方向（以下、接離方向と記す）を前述した嵌合方向Ｋと平行に保つ。なお、接離方向とは、治具１がコネクタ２に近づいて係合片１０の係合を解除する際に、治具本体１２がコネクタ２に対して相対的に移動する方向を示している。このように、ガイド部１３は、治具本体１２の接離方向に沿って直線状に延在している。
【００３５】
解除部１４は、治具本体１２の平行部１７の各々に一つ設けられている。即ち、解除部１４は、図示例では、二つ設けられている。解除部１４は、係合部６と１対１で対応して設けられている。解除部１４は、平行部１７から操作部１６と逆向きに直線状に延在している。二つの解除部１４は、互いに間隔をあけて平行に配置されている。解除部１４は、図１に示すように、治具本体１２の平行部１７から接離方向（ガイド部１３の長手方向）に沿って直線状に延在した棒状部２１と、該棒状部２１の操作部１６から離れた側の端（即ち、コネクタ２寄りの端）に連なった先細部２２と、を一体に備えている。
【００３６】
棒状部２１は、四角柱状に形成され、平行部１７からコネクタ２に向かって延在している。棒状部２１の厚みは、係合片１０の厚みと略等しい。先細部２２は棒状部２１から離れるのにしたがって徐々に一方のプレート状ハウジング３ａの外側面に近づくように先細に形成されている。前述した解除部１４は、ガイド部１３の平行伸部２０が案内リブ８間に位置すると、嵌合方向Ｋ即ち接離方向に沿って、係合部６の係合片１０の他端部１０ｂと並ぶ位置に配置されている。
【００３７】
前述した構成の治具１を用いて、コネクタ２のプレート状ハウジング３ａ，３ｂ同士を以下のように分離する。まず、図４に示すように、前述した嵌合方向Ｋ即ち接離方向に沿って、互いに対応する係合部６の係合片１０の他端部１０ｂと、解除部１４とが並ぶ位置に、コネクタ２と治具１とを配置する。そして、作業員が操作部１６などを把持して、治具１を徐々にコネクタ２に近づける。すると、図７に示すように、二つのガイド部１３の平行伸部２０が、二つの案内リブ８間に位置するとともに、図１０に示すように、先細部２２の先端が一方のプレート状ハウジング３ａの外側面と係合片１０の他端部１０ｂとの間に侵入する。このように、先細部２２は、治具本体１２がコネクタ２に近づくのにしたがって一方のプレート状ハウジング３ａの外側面と係合片１０の他端部１０ｂとの間に侵入する。すると、係合片１０の他端部１０ｂが一方のプレート状ハウジング３ａの外側面から徐々に離れる。
【００３８】
さらに、治具１をコネクタ２に近づけると、図５及び図１１に示すように、解除部１４の棒状部２１が一方のプレート状ハウジング３ａの外側面と係合片１０の他端部１０ｂとの間に侵入する。すると、棒状部２１の厚みと、係合片１０の厚みが略等しいので、凸部９と係合片１０との係合が解除されるまで、他端部１０ｂが一方のプレート状ハウジング３ａの外側面から離れる。こうして、係合片１０の凸部９に対する係合が解除される。このように、解除部１４は、治具１の治具本体１２がコネクタ２に近づくのにしたがって、対応する係合部６のプレート状ハウジング３ａ，３ｂ同士の固定を解除する。そして、図６に示すように、他方のプレート状ハウジング３ｂを一方のプレート状ハウジング３ａから引き離して、プレート状ハウジング３ａ，３ｂ同士を分離する。
【００３９】
本実施形態の治具１によれば、解除部１４が係合部６に対応して複数設けられているので、一度に、複数の係合部６の解除を行うことができる。このため、プレート状ハウジング３ａ，３ｂ同士の分離にかかる所要時間を短縮することができる。
【００４０】
また、治具１が、一方のプレート状ハウジング３ａに設けられた案内リブ８に接触して、治具本体１２を案内するガイド部１３を備えているので、治具本体１２をコネクタ２に近づけて、係合部６の解除を行う際の解除部１４の軌跡が常に一定となる。このため、作業員によって、解除部１４の軌跡がばらつくことを防止でき、解除部１４が過度に係合部６をこじることを防止できる。したがって、係合部６の破損を防止できる。
【００４１】
このように、治具１は、ガイド部１３と複数の解除部１４とを備えているので、治具本体１２をコネクタ２に近づけるだけで、複数の係合部６の解除を一度に行うことができる。よって、係合部６を破損させることなく短時間でプレート状ハウジング３ａ，３ｂを分離することができる。
【００４２】
また、治具１では、ガイド部１３が複数設けられているので、係合部６の解除中に、治具本体１２即ち解除部１４のコネクタ２に対する姿勢が変化することを防止できる。このため、解除部１４が過度に係合部６をこじることを確実に防止できる。したがって、係合部６の破損を確実に防止できる。
【００４３】
さらに、治具１は、解除部１４が先細部２２を備えかつ該先細部２２が係合片１０の他端部１０ｂと凸部９が設けられた一方のプレート状ハウジング３ａとの間に侵入するので、係合部６の解除を確実に行うことができる。
【００４４】
なお、前述した実施形態では、案内部としての案内リブ８が一方のプレート状ハウジング３ａから凸に形成されているが、本発明では、案内部をプレート状ハウジング３ａ，３ｂの外表面から凹などの他の形状に形成しても良い。前述した実施形態では、案内部を一方（ひとつ）のプレート状ハウジング３ａに二つ設けているが、本発明では、案内部を一つ又は三つ以上設けても良く、案内部を二つ以上のプレート状ハウジング３ａ，３ｂに設けても良い。前述した実施形態では、コネクタ２は、二つのプレート状ハウジング３ａ，３ｂを備えているが、本発明では、プレート状ハウジング３ａ，３ｂを三つ以上備えていても良い。
【００４５】
また、前述した実施形態では、係合部６が二つ設けられ、解除部１４が二つ設けられているが、本発明では、係合部６を三つ以上設けかつ解除部１４を三つ以上設けても良い。さらに、前述した実施形態では、治具１が、ガイド部１３を二つ備えている。しかしながら、本発明では、治具１に、ガイド部１３を一つ又は三つ以上設けても良い。さらに、本発明では、解除部１４の構成を種々変更しても良い。
【００４６】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４７】
【図１】本発明の一実施形態にかかる合体解除治具を示す斜視図である。
【図２】図１に示された合体解除治具でプレート状ハウジング同士が分離されるコネクタの斜視図である。
【図３】図２に示されたコネクタを分解して示す斜視図である。
【図４】図２に示されたコネクタと合体解除治具とを間隔をあけて並べた状態を示す斜視図である。
【図５】図４に示されたコネクタに合体解除治具を近づけた状態を示す斜視図である。
【図６】図５に示されたコネクタのプレート状ハウジング同士を分離した状態を示す斜視図である。
【図７】図４に示されたコネクタの案内リブ間に合体解除治具のガイド部の平行伸部が位置した状態を示す正面図である。
【図８】図２中のＶＩＩＩ−ＶＩＩＩ線に沿う断面図である。
【図９】図２中のＩＸ−ＩＸ線に沿う断面図である。
【図１０】図８に示された係合片と一方のプレート状ハウジングとの間に合体解除治具の解除部の先細部が侵入した状態を示す断面図である。
【図１１】図８に示された係合片と一方のプレート状ハウジングとの間に合体解除治具の解除部の棒状部が侵入した状態を示す断面図である。
【符号の説明】
【００４８】
１  合体解除治具
２  コネクタ
３  プレート状ハウジング
３ａ  一方のプレート状ハウジング
３ｂ  他方のプレート状ハウジング
５  相手方のコネクタ
６  係合部
８  案内リブ（案内部）
９  凸部
１０  係合片
１０ａ  一端部
１０ｂ  他端部
１２  治具本体
１３  ガイド部
１４  解除部
２１  棒状部
２２  先細部
【図１】
2008084672.tif 000003
【図２】
2008084672.tif 000004
【図３】
2008084672.tif 000005
【図４】
2008084672.tif 000006
【図５】
2008084672.tif 000007
【図６】
2008084672.tif 000008
【図７】
2008084672.tif 000009
【図８】
2008084672.tif 000010
【図９】
2008084672.tif 000011
【図１０】
2008084672.tif 000012
【図１１】
2008084672.tif 000013